(57)【要約】【課題】試験結果に誤差が生じることがなくかつデジタル無線システムの適正な維持および管理を図ることができるデジタル無線システム試験方法および装置を提供する。【解決手段】試験用音声を表わす音声信号が格納された音声ＲＯＭ１４と、音声信号のレベルを調整するための可変抵抗器１６と、音声信号を所定の出力抵抗で外部に出力する第１および第２の出力回路１７1，１７2と、外部からの音声信号を所定の入力抵抗で受け取る第１および第２の入力回路１８1，１８2と、第１および第２の出力回路１７1，１７2からの音声信号と第１および第２の入力回路１８1，１８2からの音声信号との一方を選択する第３および第４のスイッチ１９3，１９4と、選択された音声信号によって表わされる試験用音声を出力するスピーカ２１と、選択された音声信号のレベルを測定して表示するレベルメータ２３とを具備する試験装置１を用いて、デジタル無線システムの試験を行う。【選択図】図１
2008067256.tif 000002
【特許請求の範囲】
【請求項１】
複合周波数信号のみが変調および復調されるデジタル無線システムの試験を行うためのデジタル無線システム試験方法であって、
試験用音声を表わす音声信号が格納された記録媒体（１４）および該記録媒体から出力される該音声信号のレベル調整をするための可変抵抗器（１６）を備えた音声信号発生部と、前記レベル調整された音声信号を所定の出力抵抗で外部に出力する出力回路（１７1，１７2）および外部から音声信号を所定の入力抵抗で受け取るための入力回路（１８1，１８2）を備えた入出力部と、前記出力回路からの音声信号と該入力回路からの音声信号とのいずれか一方を選択するためのスイッチ手段（１９3，１９4）を備えた切換部と、該切換部で選択された音声信号によって表わされる試験用音声を出力するためのスピーカ（２１）を備えた音声出力部と、前記切換部で選択された音声信号のレベルを測定して表示するためのレベルメータ（２３）を備えたレベル測定部とを具備するデジタル無線システム試験装置（１）を用いて、前記デジタル無線システムの試験を行う、
ことを特徴とする、デジタル無線システム試験方法。
【請求項２】
前記試験用音声として、種々の声で発せられた音声をランダムに並べたものを使用することを特徴とする、請求項１記載のデジタル無線システム試験方法。
【請求項３】
前記入出力部が、出力抵抗が異なる第１および第２の出力回路（１７1，１７2）と、入力抵抗が異なる第１および第２の入力回路（１８1，１８2）とを備え、
前記切換部が、前記第１の出力回路からの音声信号と前記第２の出力回路からの音声信号とのいずれか一方を選択するための第１のスイッチ（１９1）と、前記第１の入力回路からの音声信号と前記第２の入力回路からの音声信号とのいずれか一方を選択するための第２のスイッチ（１９2）とをさらに備え、
前記スイッチ手段が、前記第１のスイッチによって選択された音声信号と前記第２のスイッチによって選択された音声信号とのいずれか一方を選択する、
ことを特徴とする、請求項１または２記載のデジタル無線システム試験方法。
【請求項４】
前記スイッチ手段が、前記第１のスイッチ（１９1）によって選択された音声信号と前記第２のスイッチ（１９2）によって選択された音声信号とのいずれか一方を選択する第３および第４のスイッチ（１９3，１９4）を備え、
前記音声出力部が、前記第３のスイッチと前記スピーカとの間に設けられたスピーカスイッチ（２０）をさらに備え、
前記レベル測定部が、前記第４のスイッチと前記レベルメータとの間に設けられたメータスイッチ（２２）をさらに備える、
ことを特徴とする、請求項３記載のデジタル無線システム試験方法。
【請求項５】
前記可変抵抗器の抵抗値を設定するためのボリュームつまみと、前記第１乃至第４のスイッチと、前記スピーカスイッチと、前記メータスイッチと、前記レベルメータとが、前記デジタル無線システム試験装置の筐体の前面パネルに取り付けられていることを特徴とする、請求項１乃至４いずれかに記載のデジタル無線システム試験方法。
【請求項６】
指令卓（５０）との間で基地局装置（７０）を介して音声信号の送受信が行われる移動無線機（８０）のスピーカへの音声確認試験を行う場合には、
前記デジタル無線システム試験装置から前記指令卓に前記レベル調整された音声信号を繰り返し出力し、
前記指令卓から前記基地局装置に前記レベル調整された音声信号を出力し、
前記基地局装置において前記レベル調整された音声信号を変調して、該変調した音声信号を前記移動無線機に送信し、
前記移動無線機によって受信された音声信号を他のデジタル無線システム試験装置に入力し、
該他のデジタル無線システム試験装置において前記移動無線機から入力される音声信号を該他のデジタル無線システム試験装置のスピーカおよびレベルメータに出力する、
ことを特徴とする、請求項１乃至５いずれかに記載のデジタル無線システム試験方法。
【請求項７】
前記指令卓の代わりに、該指令卓と前記基地局装置とを接続する前記集中監視制御装置に前記デジタル無線システム試験装置から前記レベル調整された音声信号を繰り返し出力することを特徴とする、請求項６記載のデジタル無線システム試験方法。
【請求項８】
移動無線機（８０）との間で基地局装置（７０）を介して音声信号の送受信が行われる指令卓（５０）のスピーカへの音声確認試験を行う場合には、
前記デジタル無線システム試験装置から前記移動無線機に前記レベル調整された音声信号を繰り返し出力し、
前記移動無線機から変調した音声信号を前記基地局装置に送信し、
前記基地局装置において前記レベル調整された音声信号を復調して、該復調した音声信号を前記指令卓に送信し、
前記指令卓によって受信された音声信号を他のデジタル無線システム試験装置に入力し、
該他のデジタル無線システム試験装置において前記指令卓から入力される音声信号を該他のデジタル無線システム試験装置のスピーカおよびレベルメータに出力する、
ことを特徴とする、請求項１乃至５いずれかに記載のデジタル無線システム試験方法。
【請求項９】
集中監視制御装置（６０）と接続された基地局装置（７０）のエリア内を走行する車両に載せた移動無線機（８０）を用いてエリア調査を行う場合には、
前記デジタル無線システム試験装置から前記集中監視制御装置に前記レベル調整された音声信号を繰り返し出力し、
前記集中監視制御装置において前記レベル調整された音声信号を受信して、該受信した音声信号を前記移動無線機に前記基地局装置を介して送信し、
前記移動無線機によって受信された音声信号を他のデジタル無線システム試験装置に入力し、
該他のデジタル無線システム試験装置において前記移動無線機から入力される音声信号を該他のデジタル無線システム試験装置のスピーカおよびレベルメータに出力する、
ことを特徴とする、請求項１乃至５いずれかに記載のデジタル無線システム試験方法。
【請求項１０】
前記他のデジタル無線システム試験装置の前記スピーカから発せられる音声の品質が良好でない場合には、
前記車両を停止させ、
前記他のデジタル無線システム試験装置から前記移動無線機に該他のデジタル無線システム試験装置においてレベル調整された他の音声信号を繰り返し出力し、
前記移動無線機において前記レベル調整された他の音声信号を変調して、該変調した他の音声信号を前記集中監視制御装置に前記基地局装置を介して送信し、
前記集中監視制御装置によって受信された他の音声信号を前記デジタル無線システム試験装置に入力し、
該デジタル無線システム試験装置において前記集中監視制御装置から入力される他の音声信号を該デジタル無線システム試験装置のスピーカおよびレベルメータに出力する、
ことを特徴とする、請求項９記載のデジタル無線システム試験方法。
【請求項１１】
複合周波数信号のみが変調および復調されるデジタル無線システムの試験に使用されるデジタル無線システム試験装置（１）であって、
試験用音声を表わす音声信号が格納された記録媒体（１４）および該記録媒体から出力される該音声信号のレベルを調整するための可変抵抗器（１６）を備えた音声信号発生部と、
前記レベル調整された音声信号を所定の出力抵抗で外部に出力する出力回路（１７1，１７2）および外部から音声信号を所定の入力抵抗で受け取るための入力回路（１８1，１８2）を備えた入出力部と、
前記出力回路からの音声信号と前記入力回路からの音声信号とのいずれか一方を選択するためのスイッチ手段（１９3，１９4）を備えた切換部と、
該切換部で選択された音声信号によって表わされる試験用音声を出力するためのスピーカ（２１）を備えた音声出力部と、
前記切換部で選択された音声信号のレベルを測定して表示するためのレベルメータ（２３）を備えたレベル測定部と、
を具備することを特徴とする、デジタル無線システム試験装置。
【請求項１２】
前記試験用音声として、種々の声で発せられた音声をランダムに並べたものを使用することを特徴とする、請求項１１記載のデジタル無線システム装置。
【請求項１３】
前記入出力部が、出力抵抗が異なる第１および第２の出力回路（１７1，１７2）と、入力抵抗が異なる第１および第２の入力回路（１８1，１８2）とを備え、
前記切換部が、前記第１の出力回路からの音声信号と前記第２の出力回路からの音声信号とのいずれか一方を選択するための第１のスイッチ（１９1）と、前記第１の入力回路からの音声信号と前記第２の入力回路からの音声信号とのいずれか一方を選択するための第２のスイッチ（１９2）とをさらに備え、
前記スイッチ手段が、前記第１のスイッチ（１９1）によって選択された音声信号と前記第２のスイッチ（１９2）によって選択された音声信号とのいずれか一方を選択する第３および第４のスイッチ（１９3，１９4）を備え、
前記音声出力部が、前記第３のスイッチと前記スピーカとの間に設けられたスピーカスイッチ（２０）をさらに備え、
前記レベル測定部が、前記第４のスイッチと前記レベルメータとの間に設けられたメータスイッチ（２２）をさらに備え、
前記可変抵抗器の抵抗値を設定するためのボリュームつまみ、前記第１乃至第４のスイッチ、前記スピーカスイッチ、前記メータスイッチおよび前記レベルメータが、前記デジタル無線システム試験装置の筐体の前面パネルに取り付けられている、
ことを特徴とする、請求項１１または１２記載のデジタル無線システム試験装置。
【発明の詳細な説明】
【技術分野】
【０００１】
本発明は、デジタル無線システムを試験するのに好適なデジタル無線システム試験方法およびデジタル無線システム試験装置に関する。
【背景技術】
【０００２】
デジタル無線システムは、図６に示すように、指令卓５０と、指令卓５０に接続された集中監視制御装置６０と、集中監視制御装置６０と接続された基地局装置７０と、基地局装置７０と無線で接続された移動無線機８０（携帯無線機または車載無線機）とを具備するが、移動無線機８０は、伝送効率を高めるために、マイク９１から音声信号入力端子５１（入力抵抗（入力インピーダンス）＝８Ω）を介して指令卓５０に入力される音声信号（すなわち、複合周波数信号）のみを変調および復調するように設計されている。
したがって、トーン信号（１ｋＨｚで０ｄＢ、音楽信号なども含む。）のみを出力する従来の試験器９０を用いてトーン信号を指令卓５０にＳ入力端子５３（入力抵抗＝６００Ω）を介して入力しても、トーン信号は移動無線機８０によって復調されないので、デジタル無線システムにおける試験（移動無線機８０のスピーカへの音声確認試験、エリア調査など）は、以下のようにして行われている。
【０００３】
移動無線機８０のスピーカへの音声確認試験は、次の手順で行われている。
（１）指令卓５０側の調整員が指令卓５０に接続されたマイク９１に向かって音声を継続的に発して（たとえば、「あーーーーー」と発して）、この音声信号を集中監視制御装置６０および基地局装置７０を経由して移動無線機８０に送信する。
（２）移動無線機８０側の調整員が、受信した音声信号に基づいてスピーカから発せられる音声を聞いて、音声品質の良否を判定する。
なお、工場試験では、ＣＤ（コンパクトディスク）やＭＤ（ミニディスク）を用いて種々の音声を発して試験を行っているが、移動無線機８０側の人が「聞こえた」という思い込みを生じさせないように、文脈に関連性がない言葉を使用して音声を発生させるなどしている。
また、移動無線機８０側の調整員が移動無線機８０に向かって音声を継続的に発して（たとえば、「あーーーーー」と発して）、この音声信号を基地局装置７０および集中監視制御装置６０を経由して指令卓５０に送信して、指令卓５０のスピーカから発せられる音声を指令卓５０側の調整員が聞いて、音声品質の良否を判定することも行われている。
【０００４】
エリア調査は、次の手順で行われている。
（１）エリア内の測定ポイントを事前に決定する。
（２）移動無線機８０（車載無線機）を載せた車両を最初の測定ポイントに移動させる。
（３）指令卓５０側の調整員が音声（たとえば、「あーーーーー」）を継続的に発して、この音声信号を集中監視制御装置６０から基地局装置７０を経由して移動無線機８０に送信する。
（４）移動無線機８０側の調整員が、受信した音声信号に基づいてスピーカから発せられる音声を聞いて、音声品質の良否を判定する。
（５）車両を次の測定ポイントに移動させる。
（６）上記（４）および（５）の手順を繰り返す。
【０００５】
なお、下記の特許文献１には、レベル測定器やレベル測定結果を表示する回路を内蔵することなく携帯電話機のマイク端における音圧レベルおよび音声符号化器の入力端における信号レベルの関係などの音声信号利得を測定できるようにするために、試験対象の携帯電話機内部に備わっている音声符号化器の音声符号化レートに対応した試験音声信号を発生するとともに、試験音声信号の中の特定位置で第１トリガ信号を出力する信号発生器と、試験音声信号を音響結合によって携帯電話機に送出するスピーカと、携帯電話機と呼接続ができかつ音声符号化レートを識別し、識別したレートの変化が所定値まで変化した時に第２トリガ信号を出力するＣＤＭＡ携帯電話端末試験機と、信号発生器とＣＤＭＡ携帯電話端末試験機から出力される２つのトリガ信号の時間間隔を測定し表示するタイマとを備えて構成された携帯電話試験装置が開示されている。
また、下記の特許文献２には、直交変調信号を用いるデジタル通信機器の正確で効率的な調整試験を行うために、試験用直交変調信号をデジタル通信機器のフィルタに入力すること、デジタル通信機器のフィルタからの出力信号を直交復調してＩ信号およびＱ信号を得ること、Ｉ信号およびＱ信号からＩＱ平面上のベクトル精度を算出すること、ベクトル精度が最小となるようにデジタル通信機器のフィルタを調整することからなる、デジタル通信機器の調整試験方法および装置が開示されている。
【特許文献１】特開２０００−１５１７８５号公報
【特許文献２】特開２００２−２３７８５５号公報
【発明の開示】
【発明が解決しようとする課題】
【０００６】
しかしながら、上述したデジタル無線システムにおける試験においては、以下に示すような問題があった。
（１）調整員が「あーーーーー」というように音声を継続的に発しているが、その日の声の調子や調整員の交代により試験ごとに音声出力レベルが変わるため、その音声出力レベルの値を正確に把握することができない。
（２）調整員の音声は一定ではないため、レベル変動があり、音声品質の良否判定が困難であるため、試験結果に誤差が生じる。
（３）音声確認試験は購入時の運用前や運用中にユーザ側より音声不具合調査の依頼があったときに行われているため頻度的には少ないが、たとえば数百台の移動無線機８０をすべて調整するとなると、調整員の都度音声では移動無線機８０により試験結果に誤差が生じる。また、調整員が（移動無線機８０の台数）×ｎ回ごと（ｎは調整の回数により変動する。）音声を発するのは大変である。
（４）点検および障害時に、比較する基準値がないため、結果の判定や不具合箇所の特定が困難である。
【０００７】
本発明の目的は、試験結果に誤差が生じることがなくかつデジタル無線システムの適正な維持および管理を図ることができるデジタル無線システム試験方法およびデジタル無線システム試験装置を提供することにある。
【課題を解決するための手段】
【０００８】
本発明のデジタル無線システム試験方法は、複合周波数信号のみが変調および復調されるデジタル無線システムの試験を行うためのデジタル無線システム試験方法であって、試験用音声を表わす音声信号が格納された記録媒体（１４）および該記録媒体から出力される該音声信号のレベル調整をするための可変抵抗器（１６）を備えた音声信号発生部と、前記レベル調整された音声信号を所定の出力抵抗で外部に出力する出力回路（１７1，１７2）および外部から音声信号を所定の入力抵抗で受け取るための入力回路（１８1，１８2）を備えた入出力部と、前記出力回路からの音声信号と該入力回路からの音声信号とのいずれか一方を選択するためのスイッチ手段（１９3，１９4）を備えた切換部と、該切換部で選択された音声信号によって表わされる試験用音声を出力するためのスピーカ（２１）を備えた音声出力部と、前記切換部で選択された音声信号のレベルを測定して表示するためのレベルメータ（２３）を備えたレベル測定部とを具備するデジタル無線システム試験装置（１）を用いて、前記デジタル無線システムの試験を行うことを特徴とする。
ここで、前記試験用音声として、種々の声で発せられた音声をランダムに並べたものを使用してもよい。
前記入出力部が、出力抵抗が異なる第１および第２の出力回路（１７1，１７2）と、入力抵抗が異なる第１および第２の入力回路（１８1，１８2）とを備え、前記切換部が、前記第１の出力回路からの音声信号と前記第２の出力回路からの音声信号とのいずれか一方を選択するための第１のスイッチ（１９1）と、前記第１の入力回路からの音声信号と前記第２の入力回路からの音声信号とのいずれか一方を選択するための第２のスイッチ（１９2）とをさらに備え、前記スイッチ手段が、前記第１のスイッチによって選択された音声信号と前記第２のスイッチによって選択された音声信号とのいずれか一方を選択してもよい。
前記スイッチ手段が、前記第１のスイッチ（１９1）によって選択された音声信号と前記第２のスイッチ（１９2）によって選択された音声信号とのいずれか一方を選択する第３および第４のスイッチ（１９3，１９4）を備え、前記音声出力部が、前記第３のスイッチと前記スピーカとの間に設けられたスピーカスイッチ（２０）をさらに備え、前記レベル測定部が、前記第４のスイッチと前記レベルメータとの間に設けられたメータスイッチ（２２）をさらに備えてもよい。
前記可変抵抗器の抵抗値を設定するためのボリュームつまみと、前記第１乃至第４のスイッチと、前記スピーカスイッチと、前記メータスイッチと、前記レベルメータとが、前記デジタル無線システム試験装置の筐体の前面パネルに取り付けられていてもよい。
指令卓（５０）との間で基地局装置（７０）を介して音声信号の送受信が行われる移動無線機（８０）のスピーカへの音声確認試験を行う場合には、前記デジタル無線システム試験装置から前記指令卓に前記レベル調整された音声信号を繰り返し出力し、前記指令卓から前記基地局装置に前記レベル調整された音声信号を出力し、前記基地局装置において前記レベル調整された音声信号を変調して、該変調した音声信号を前記移動無線機に送信し、前記移動無線機によって受信された音声信号を他のデジタル無線システム試験装置に入力し、該他のデジタル無線システム試験装置において前記移動無線機から入力される音声信号を該他のデジタル無線システム試験装置のスピーカおよびレベルメータに出力してもよい。
前記指令卓の代わりに、該指令卓と前記基地局装置とを接続する前記集中監視制御装置に前記デジタル無線システム試験装置から前記レベル調整された音声信号を繰り返し出力してもよい。
移動無線機（８０）との間で基地局装置（７０）を介して音声信号の送受信が行われる指令卓（５０）のスピーカへの音声確認試験を行う場合には、前記デジタル無線システム試験装置から前記移動無線機に前記レベル調整された音声信号を繰り返し出力し、前記移動無線機から変調した音声信号を前記基地局装置に送信し、前記基地局装置において前記レベル調整された音声信号を復調して、該復調した音声信号を前記指令卓に送信し、前記指令卓によって受信された音声信号を他のデジタル無線システム試験装置に入力し、該他のデジタル無線システム試験装置において前記指令卓から入力される音声信号を該他のデジタル無線システム試験装置のスピーカおよびレベルメータに出力してもよい。
集中監視制御装置（６０）と接続された基地局装置（７０）のエリア内を走行する車両に載せた移動無線機（８０）を用いてエリア調査を行う場合には、前記デジタル無線システム試験装置から前記集中監視制御装置に前記レベル調整された音声信号を繰り返し出力し、前記集中監視制御装置において前記レベル調整された音声信号を受信して、該受信した音声信号を前記移動無線機に前記基地局装置を介して送信し、前記移動無線機によって受信された音声信号を他のデジタル無線システム試験装置に入力し、該他のデジタル無線システム試験装置において前記移動無線機から入力される音声信号を該他のデジタル無線システム試験装置のスピーカおよびレベルメータに出力してもよい。
前記他のデジタル無線システム試験装置の前記スピーカから発せられる音声の品質が良好でない場合には、前記車両を停止させ、前記他のデジタル無線システム試験装置から前記移動無線機に該他のデジタル無線システム試験装置においてレベル調整された他の音声信号を繰り返し出力し、前記移動無線機において前記レベル調整された他の音声信号を変調して、該変調した他の音声信号を前記集中監視制御装置に前記基地局装置を介して送信し、前記集中監視制御装置によって受信された他の音声信号を前記デジタル無線システム試験装置に入力し、該デジタル無線システム試験装置において前記集中監視制御装置から入力される他の音声信号を該デジタル無線システム試験装置のスピーカおよびレベルメータに出力してもよい。
【０００９】
本発明のデジタル無線システム試験装置は、複合周波数信号のみが変調および復調されるデジタル無線システムの試験に使用されるデジタル無線システム試験装置（１）であって、試験用音声を表わす音声信号が格納された記録媒体（１４）および該記録媒体から出力される該音声信号のレベルを調整するための可変抵抗器（１６）を備えた音声信号発生部と、前記レベル調整された音声信号を所定の出力抵抗で外部に出力する出力回路（１７1，１７2）および外部から音声信号を所定の入力抵抗で受け取るための入力回路（１８1，１８2）を備えた入出力部と、前記出力回路からの音声信号と前記入力回路からの音声信号とのいずれか一方を選択するためのスイッチ手段（１９3，１９4）を備えた切換部と、該切換部で選択された音声信号によって表わされる試験用音声を出力するためのスピーカ（２１）を備えた音声出力部と、前記切換部で選択された音声信号のレベルを測定して表示するためのレベルメータ（２３）を備えたレベル測定部とを具備することを特徴とする。
ここで、前記試験用音声として、種々の声で発せられた音声をランダムに並べたものを使用してもよい。
前記入出力部が、出力抵抗が異なる第１および第２の出力回路（１７1，１７2）と、入力抵抗が異なる第１および第２の入力回路（１８1，１８2）とを備え、前記切換部が、前記第１の出力回路からの音声信号と前記第２の出力回路からの音声信号とのいずれか一方を選択するための第１のスイッチ（１９1）と、前記第１の入力回路からの音声信号と前記第２の入力回路からの音声信号とのいずれか一方を選択するための第２のスイッチ（１９2）とをさらに備え、前記スイッチ手段が、前記第１のスイッチ（１９1）によって選択された音声信号と前記第２のスイッチ（１９2）によって選択された音声信号とのいずれか一方を選択する第３および第４のスイッチ（１９3，１９4）を備え、前記音声出力部が、前記第３のスイッチと前記スピーカとの間に設けられたスピーカスイッチ（２０）をさらに備え、前記レベル測定部が、前記第４のスイッチと前記レベルメータとの間に設けられたメータスイッチ（２２）をさらに備え、前記可変抵抗器の抵抗値を設定するためのボリュームつまみ、前記第１乃至第４のスイッチ、前記スピーカスイッチ、前記メータスイッチおよび前記レベルメータが、前記デジタル無線システム試験装置の筐体の前面パネルに取り付けられていてもよい。
【発明の効果】
【００１０】
本発明のデジタル無線システム試験方法およびデジタル無線システム試験装置は、以下の効果を奏する。
（１）記録媒体に格納された音声信号を繰り返し送信して音声確認試験やエリア調査を行うため、試験結果に誤差が生じることを防止することができる。
（２）可変抵抗器によって送信する音声信号のレベルを調整することができるとともに、レベルメータによって送信する音声信号および受信した音声信号のレベルを数値で見ることができるため、デジタル無線システムの適正な維持および管理を図ることができる。
【発明を実施するための最良の形態】
【００１１】
上記の目的を、試験用音声を表わす音声信号が格納された記録媒体およびこの記録媒体から出力される音声信号のレベルを調整するための可変抵抗器を備えた音声信号発生部を具備するデジタル無線システム試験装置を使用してデジタル無線システムの試験を行うことにより実現した。
【実施例１】
【００１２】
以下、本発明のデジタル無線システム試験方法およびデジタル無線システム試験装置の実施例について、図面を参照して説明する。
【００１３】
本発明の一実施例によるデジタル無線システム試験方法に使用するデジタル無線システム試験装置１（以下、「試験装置１」と称する。）は、電源部と、音声信号発生部と、入出力部と、切替部と、音声出力部と、レベル測定部とを具備する。
【００１４】
ここで、図１に示すように、試験装置１の電源部は、正極側が接地された電池１１と、一方の端子が電池１１の負極側に接続された電源スイッチ（電源ＳＷ）１２と、アノードが電源スイッチ１２の他方の端子に接続されかつカソードが接地された発光ダイオード（ＬＥＤ）１３とを備える。なお、発光ダイオード１３は、試験装置１の筐体（不図示）の前面パネルに取り付けられている。
これにより、調整員は、試験装置１の電源が入っているか切れているかを発光ダイオード１３の点灯／消灯によって確認することができる。
【００１５】
試験装置１の音声信号発生部は、試験用音声を表わす音声信号が格納された音声ＲＯＭ１４と、音声ＲＯＭ１４から出力される音声信号を増幅する増幅回路（ＡＭＰ）１５と、増幅回路１５によって増幅された音声信号のレベル（振幅）を調整するための可変抵抗器（ＶＲ）１６とを備える。
試験用音声としては、種々の声（高音の声、低音の声、普通の声、女性の声など）で発せられた音声がランダムに並べられたものを使用する。
試験用音声は、音声ＲＯＭ１４から繰り返し読み出されて増幅回路１５に出力される。音声ＲＯＭ１４および増幅回路１５は、電源スイッチ１２の他方の端子に接続されており、電池１１によって駆動されて作動する。また、可変抵抗器１６は、試験装置１の筐体の前面パネルに取り付けられたボリュームつまみ（不図示）を回すことによって抵抗値が設定できるようにされている。
これにより、調整員は、電源スイッチ１２を入れることにより、音声を継続的に発することなくかつ音声信号の出力レベルをボリュームつまみで調整しながらデジタル無線システムの試験を行うことができる。
【００１６】
試験装置１の入出力部は、出力抵抗（出力インピーダンス）が８Ωである第１の出力回路１７1と、出力抵抗が６００Ωである第２の出力回路１７2と、入力抵抗が８Ωである第１の入力回路１８1と、入力抵抗が６００Ωである第２の入力回路１８2とを備える。なお、第１および第２の出力回路１７1，１７2の入力端子は可変抵抗器１６の他端と接続されており、第１および第２の出力回路１７1，１７2の出力端子は第１および第２の出力端子３１1，３１2にそれぞれ接続されている。また、第１および第２の入力回路１８1，１８2の入力端子は第１および第２の入力端子３２1，３２2にそれぞれ接続されている。
これにより、調整員は、試験装置１を接続する各種装置（図６に示した指令卓５０、集中化監視制御装置６０、基地局装置７０および移動無線機８０など）の入力抵抗および出力抵抗に応じて試験装置１の第１または第２の出力端子３１1，３１2および第１または第２の入力端子３２1，３２2と各種装置の入力端子および出力端子とをそれぞれ接続することにより、試験に用いる音声信号をロスなく入出力することができる。
【００１７】
試験装置１の切替部は、第１の出力回路１７1からの音声信号と第２の出力回路１７2からの音声信号とのいずれか一方を選択するための第１のスイッチ（第１のＳＷ）１９1と、第１の入力回路１８1からの音声信号と第２の入力回路１８2からの音声信号とのいずれか一方を選択するための第２のスイッチ（第２のＳＷ）１９2と、第１のスイッチ１９1からの音声信号と第２のスイッチ１９2からの音声信号とのいずれか一方を選択するための第３のスイッチ（第３のＳＷ）１９3と、第１のスイッチ１９1からの音声信号と第２のスイッチ１９2からの音声信号とのいずれか一方を選択するための第４のスイッチ（第４のＳＷ）１９4とを備える。なお、第１乃至第４のスイッチ１９1〜１９4は、試験装置１の筐体の前面パネルに取り付けられている。
これにより、調整員は、第１乃至第４のスイッチ１９1〜１９4を切り換えることにより、試験装置１から出力される音声信号と試験装置１に入力される音声信号とのいずれか一方を選択することができる。
【００１８】
試験装置１の音声出力部は、入力端子が第３のスイッチ１９3の出力端子に接続されたスピーカスイッチ（スピーカＳＷ）２０と、スピーカスイッチ２０の出力端子に接続されたスピーカ２１とを備える。
また、試験装置１のレベル測定部は、入力端子が第４のスイッチ１９4の出力端子に接続されたメータスイッチ（メータＳＷ）２２と、メータスイッチ２２の出力端子に接続されたレベルメータ２３とを備える。
なお、スピーカスイッチ２０、スピーカ２１、メータスイッチ２２およびレベルメータ２３は、試験装置１の筐体の前面パネルに取り付けられている。
これにより、調整員は、スピーカスイッチ２０を入れることにより試験装置１から出力されている音声信号または試験装置１に入力されている音声信号によって表わされる試験用音声を耳で確認することができ、また、メータスイッチ２２を入れることにより試験装置１から出力されている音声信号または試験装置１に入力されている音声信号のレベルを目で確認することができる。
【００１９】
次に、図１に示した試験装置１を使用して移動無線機８０のスピーカへの音声確認試験を行う手順について、図２を参照して説明する。
指令卓５０側の調整員（以下、「第１の調整員」と称する。）は、試験装置１の第１の出力端子３１1（出力抵抗＝８Ω）と指令卓５０の音声信号入力端子５１（入力抵抗＝８Ω）とを接続する。また、移動無線機８０側の調整員（以下、「第２の調整員」と称する。）は、他の試験装置１の第１の入力端子３２1（入力抵抗＝８Ω）と移動無線機８０の音声信号出力端子８１（出力抵抗＝８Ω）とを接続する。
【００２０】
指令卓５０側では、第１の調整員は、試験装置１の第１の出力回路１７1からの音声信号がスピーカ２１およびレベルメータ２３に出力されるように、第１、第３および第４のスイッチ１９1，１９3，１９4を切り換える。続いて、第１の調整員は、電源スイッチ１２を入れる。これにより、音声ＲＯＭ１４から試験用音声を表わす音声信号が一定の間隔で繰り返して出力される。この音声信号は、増幅器１５で所定の増幅率で増幅されたのち、第１および第２の出力回路１７1，１７2に出力される。
【００２１】
その後、第１の調整員は、スピーカスイッチ２０およびメータスイッチ２２を入れる。これにより、第１の出力回路１７1から出力される音声信号は、第１のスイッチ１９1，第３のスイッチ１９3およびスピーカスイッチ２０を介してスピーカ２１に出力される。その結果、スピーカ２１から試験用音声が繰り返して出力される。また、第１の出力回路１７1から出力される音声信号は、第１のスイッチ１９1，第４のスイッチ１９4およびメータスイッチ２２を介してレベルメータ２３に出力される。その結果、この音声信号のレベルがレベルメータ２３に表示される。
【００２２】
その後、第１の調整員は、レベルメータ２３の表示に応じて可変抵抗器１６の抵抗値を変えことにより、出力する音声信号のレベルを所定の値に設定する。このようにしてレベル調整された音声信号は、第１の出力端子３１1から指令卓５０に出力されたのちに、基地局７０に出力されて変調され、移動無線機８０に送信される。
【００２３】
移動無線機８０側では、第２の調整員は、他の試験装置１の第１の入力回路１８1からの受信音声信号（移動無線機８０によって受信された音声信号）がスピーカ２１およびレベルメータ２３に出力されるように、第２、第３および第４のスイッチ１９2，１９3，１９4を切り換えるともに、スピーカスイッチ２０およびメータスイッチ２２を入れる。続いて、第２の調整員は、電源スイッチ１２を入れる。
これにより、移動無線機８０から第１の入力端子３２1を介して第１の入力回路１８1に入力された受信音声信号は、第２のスイッチ１９2、第３のスイッチ１９3およびスピーカスイッチ２０を介してスピーカ２１に出力される。その結果、移動無線機８０によって受信された音声信号によって表わされる試験用音声がスピーカ２１から繰り返して出力される。また、この受信音声信号は、第２のスイッチ１９2，第４のスイッチ１９4およびメータスイッチ２２を介してレベルメータ２３に出力される。その結果、受信音声信号のレベルがレベルメータ２３に表示される。
【００２４】
第２の調整員は、スピーカ２１から出力される試験用音声を聞きながら音声品質（通話品質）を確認するとともに、レベルメータ２３の表示を見て音声レベル値（受信音声信号のレベル値）を記録する。
また、試験装置１からの音声信号は、数百台のすべての移動無線機８０に同時に出力することができるので、すべての移動無線機８０に一定のレベルの音声信号を同時に送信して音声確認試験を行うことができるほか、運用前（購入時）に試験した出力レベル値を記録することもできる。
さらに、ユーザ側から不具合などの連絡があった場合には、運用前（購入時）の記録（基準値）を参照し、調査することができる。
【００２５】
なお、図２に示した例では指令卓５０を介して音声信号を基地局７０に入力したが、図３に示すように、試験装置１の第２の出力端子３１2（出力抵抗＝６００Ω）と集中監視制御装置６０のＳ入力端子６１（入力抵抗＝６００Ω）とを接続して、音声信号を集中監視制御装置６０に入力してもよい。
この場合には、移動無線機８０のスピーカへの音声確認試験は、試験装置１の第２の出力回路１７2からの音声信号がスピーカ２１およびレベルメータ２３に出力されるように第１の調整員が第１、第３および第４のスイッチ１９1，１９3，１９4を切り換えるほかは、同様の手順で行われる。
【００２６】
また、図１に示した試験装置１を使用して移動無線機８０から音声信号を指令卓５０に送信して指令卓５０のスピーカへの音声確認試験を行う場合には、図４に示すように、試験装置１の第１の出力端子３１1（出力抵抗＝８Ω）と移動無線機８０の音声信号入力端子８２（入力抵抗＝８Ω）とを接続するとともに、他の試験装置１の第１の入力端子３２1（入力抵抗＝８Ω）と指令卓５０の音声信号出力端子５２（出力抵抗＝８Ω）とを接続して、上述した移動無線機８０のスピーカへの音声確認試験を行う手順と同様の手順により行う。
【００２７】
次に、図１に示した試験装置１を使用してエリア調査を行う手順について、図５を参照して説明する。
第１の調整員は、試験装置１の第２の出力端子３１2（出力抵抗＝６００Ω）と集中監視制御装置６０のＳ入力端子６１（入力抵抗＝６００Ω）とを接続するとともに、試験装置１の第２の入力端子３２2（入力抵抗＝６００Ω）と集中監視制御装置６０のＳ出力端子６２（出力抵抗＝６００Ω）とを接続する。
第１の調整員は、試験装置１の第２の出力回路１７2からの音声信号がスピーカ２１およびレベルメータ２３に出力されるように、第１、第３および第４のスイッチ１９1，１９3，１９4を切り換える。続いて、第１の調整員は、電源スイッチ１２を入れる。これにより、音声ＲＯＭ１４から試験用音声を表わす音声信号が一定の間隔で繰り返して出力される。
このとき、従来のエリア調査のように車両を測定ポイントごとに止めてポイント調査するのではなく、車両を走行させながらエリア内を細かく調査することができるようにするために、試験用音声を表わす音声信号はエリア調査が終了するまで一定の間隔で繰り返して出力され続ける。
この音声信号は、増幅器１５で所定の増幅率で増幅されたのち、第１および第２の出力回路１７1，１７2に出力される。
【００２８】
その後、第１の調整員は、スピーカスイッチ２０およびメータスイッチ２２を入れる。これにより、第２の出力回路１７2から出力される音声信号は、第１のスイッチ１９1，第３のスイッチ１９3およびスピーカスイッチ２０を介してスピーカ２１に出力される。その結果、スピーカ２１から試験用音声が繰り返して出力される。
また、第２の出力回路１７2から出力される音声信号は、第１のスイッチ１９1，第４のスイッチ１９4およびメータスイッチ２２を介してレベルメータ２３に出力される。その結果、この音声信号のレベルがレベルメータ２３に表示される。
【００２９】
その後、第１の調整員は、レベルメータ２３の表示に応じて可変抵抗器１６の抵抗値を変えることにより、出力する音声信号のレベルを所定の値に設定する。これにより、試験用音声を表わす音声信号のレベルを所定の値（基準値）に保ちながらエリア調査を行うことができるため、エリア調査時の記録を残せるほか、エリア内の音声品質の良否を同じ条件で確認することができる。
このようにしてレベル調整された音声信号は、第２の出力端子３１2から集中監視制御装置６０に出力されたのちに、基地局装置７０を介して移動無線機８０に送信される。
【００３０】
第２の調整員は、他の試験装置１の第１の入力端子３２1（入力抵抗＝８Ω）と移動無線機８０の音声信号出力端子８１（出力抵抗＝８Ω）とを接続するとともに、他の試験装置１の第１の出力端子３１1（出力抵抗＝８Ω）と移動無線機８０の音声信号入力端子８２（入力抵抗＝８Ω）とを接続する。
第２の調整員は、他の試験装置１の第１の入力回路１８1からの受信音声信号（移動無線機８０によって受信された音声信号）がスピーカ２１およびレベルメータ２３に出力されるように、第２、第３および第４のスイッチ１９2，１９3，１９4を切り換えるともに、スピーカスイッチ２０およびメータスイッチ２２を入れる。続いて、第２の調整員は、電源スイッチ１２を入れる。
これにより、移動無線機８０から第１の入力端子３２1を介して第１の入力回路１８1に入力された受信音声信号は、第２のスイッチ１９2、第３のスイッチ１９3およびスピーカスイッチ２０を介してスピーカ２１に出力される。その結果、移動無線機８０によって受信された音声信号によって表わされる試験用音声がスピーカ２１から繰り返して出力される。また、この受信音声信号は、第２のスイッチ１９2，第４のスイッチ１９4およびメータスイッチ２２を介してレベルメータ２３に出力される。その結果、受信音声信号のレベルがレベルメータ２３に表示される。
【００３１】
第２の調整員は、スピーカ２１から出力される試験用音声を聞きながら音声品質（通話品質）を確認するとともに、レベルメータ２３の表示を見て音声レベル値（受信音声信号のレベル値）を記録する。
【００３２】
音声品質が良好である場合には、車両を走行させたまま、音声品質の確認および音声レベル値の記録が続けて行われる。
【００３３】
一方、音声品質が良好でない場合には、第２の調整員は、その旨を第１の調査員に連絡したのち、他の試験装置１の第１の出力回路１７1からの音声信号がスピーカ２１およびレベルメータ２３に出力されるように、第１、第３および第４のスイッチ１９1，１９3，１９4を切り換える。これにより、音声ＲＯＭ１４から試験用音声を表わす音声信号が一定の間隔で繰り返して出力される。
その後、第２の調整員は、レベルメータ２３の表示に応じて可変抵抗器１６の抵抗値を変えことにより、出力する音声信号のレベルを所定の値に設定する。これにより、試験用音声を表わす音声信号が、第１の出力端子３１1から移動無線機８０に出力されて変調されたのち、基地局装置７０を介して集中監視制御装置６０に送信される。
【００３４】
第１の調整員は、「音声品質が良好でない」旨の連絡が第２の調査員からあると、試験装置１の第２の入力回路１８2からの受信音声信号（集中監視制御装置６０によって受信された音声信号）がスピーカ２１およびレベルメータ２３に出力されるように、第２、第３および第４のスイッチ１９2，１９3，１９4を切り換える。
これにより、集中監視制御装置６０から第２の入力端子３２2を介して第２の入力回路１８2に入力された受信音声信号は、第２のスイッチ１９2、第３のスイッチ１９3およびスピーカスイッチ２０を介してスピーカ２１に出力される。その結果、集中監視制御装置６０によって受信された音声信号によって表わされる試験用音声がスピーカ２１から繰り返して出力される。また、この受信音声信号は、第２のスイッチ１９2，第４のスイッチ１９4およびメータスイッチ２２を介してレベルメータ２３に出力される。その結果、受信音声信号のレベルがレベルメータ２３に表示される。
【００３５】
第１の調整員は、スピーカ２１から出力される試験用音声を聞きながら音声品質（通話品質）を確認するとともに、レベルメータ２３の表示を見て音声レベル値（受信音声信号のレベル値）を記録する。
【００３６】
以上の説明においては、音声ＲＯＭ１４を使用したが、ＣＤやＭＤなど音声信号を格納することができる他の記録媒体を使用してもよい。
また、音声ＲＯＭ１４に格納する音声信号によって表わされる試験用音声は、従来の工場試験のように文脈に関連性がない言葉を使用する必要はなく、普通の文脈の言葉でよい。このとき、複数個の試験用音声を音声ＲＯＭ１４に格納しておき、調整員が「聞こえた」という思い込みを生じさせないために、所定の周期で試験用音声を変えて音声ＲＯＭ１４から出力するようにしてもよい。
【図面の簡単な説明】
【００３７】
【図１】本発明の一実施例によるデジタル無線システム試験方法に使用する試験装置１の構成を示す図である。
【図２】図１に示した試験装置１を使用して移動無線機８０のスピーカへの音声確認試験を行う手順を説明するための図である。
【図３】音声信号を試験装置１から集中監視制御装置６０に入力して移動無線機８０のスピーカへの音声確認試験を行う手順を説明するための図である。
【図４】図１に示した試験装置１を使用して音声信号を移動無線機８０から指令卓５０に送信して指令卓５０のスピーカへの音声確認試験を行う手順を説明するための図である。
【図５】図１に示した試験装置１を使用してエリア調査を行う手順を説明するための図である。
【図６】デジタル無線システムの構成と移動無線機８０のスピーカへの音声確認試験の従来の手順とを説明するための図である。
【符号の説明】
【００３８】
１  試験装置（デジタル無線システム試験装置）
１１  電池
１２  電源スイッチ（電源ＳＷ）
１３  発光ダイオード（ＬＥＤ）
１４  音声ＲＯＭ
１５  増幅回路（ＡＭＰ）
１６  可変抵抗器（ＶＲ）
１７1，１７2  第１および第２の出力回路
１８1，１８2  第１および第２の入力回路
１９1〜１９4  第１乃至第４のスイッチ（第１乃至第４のＳＷ）
２０  スピーカスイッチ（スピーカＳＷ）
２１  スピーカ
２２  メータスイッチ（メータＳＷ）
２３  レベルメータ
３１1，３１2  第１および第２の出力端子
３２1，３２2  第１および第２の入力端子
５０  指令卓
５１  音声信号入力端子
５２  音声信号出力端子
５３  Ｓ入力端子
６０  集中監視制御装置
６１  Ｓ入力端子
６２  Ｓ出力端子
７０  基地局装置
８０  移動無線機
８１  音声信号出力端子
８２  音声信号入力端子
９０  試験器
９１  マイク
【図１】
2008067256.tif 000003
【図２】
2008067256.tif 000004
【図３】
2008067256.tif 000005
【図４】
2008067256.tif 000006
【図５】
2008067256.tif 000007
【図６】
2008067256.tif 000008